(57)【要約】【課題】  複数の基地局と１つの端末とが通信を行う場合に、端末の能力に応じた通信の設定を行うこと。【解決手段】  基地局装置および他の基地局装置が１つの通信装置との間で通信を行う無線通信システムにおける、基地局装置は、他の基地局装置から、他の基地局装置が通信装置との間の無線通信に用いることを要求する第１の設定情報を取得する。基地局装置は、第１の設定情報と、基地局装置が通信装置との間の無線通信に用いている又は用いることを要求する第２の設定情報とに基づいて、通信装置が、第１の設定情報と第２の設定情報とにそれぞれ基づく２つの設定を同時に実行可能であるかを判定する。基地局装置は、通信装置が２つの設定を同時に実行可能である場合、第１の設定情報と第２の設定情報とを含むメッセージを通信装置へ送信し、その後に第２の設定情報を用いて通信装置との通信を開始する。【選択図】  図２
2015032902.tif 000002
【特許請求の範囲】
【請求項１】
基地局装置および他の基地局装置が１つの通信装置との間で通信を行う無線通信システムにおける、前記基地局装置であって、
前記通信装置と通信を行う通信手段と、
前記他の基地局装置から、当該他の基地局装置が前記通信装置との間の無線通信に用いることを要求する第１の設定情報を取得する取得手段と、
前記第１の設定情報と、前記基地局装置が前記通信装置との間の無線通信に用いている又は用いることを要求する第２の設定情報とに基づいて、前記通信装置が、前記第１の設定情報に基づく無線通信の設定と前記第２の設定情報に基づく無線通信の設定との２つの設定を同時に実行可能であるかを判定する判定手段と、
を有し、
前記通信手段は、前記通信装置が前記２つの設定を同時に実行可能である場合、前記第１の設定情報と前記第２の設定情報とを含むメッセージを前記通信装置へ送信し、その後に前記第２の設定情報を用いて前記通信装置との通信を開始する、
ことを特徴とする基地局装置。
【請求項２】
前記他の基地局装置との間の前記第１の設定情報に基づく無線通信および前記基地局装置との間の前記第２の設定情報に基づく無線通信の設定の完了通知を前記通信装置から前記通信手段が受信した場合、当該完了通知を受信したことを前記他の基地局装置へ通知する通知手段をさらに有し、
前記通信手段は、前記完了通知を受信した後に、前記第２の設定情報を用いて前記通信装置との通信を開始し、
前記他の基地局装置は、当該第１の設定情報に基づく無線通信の設定が可能であることを示す情報を受信した後に、前記第１の設定情報を用いて前記通信装置と通信を開始する、
ことを特徴とする請求項１に記載の基地局装置。
【請求項３】
前記通信手段は、前記通信装置から前記完了通知を受信しなかった場合、前記メッセージを前記通信装置へ再送信し、または、前記第１の設定情報と前記第２の設定情報とを含む別のメッセージを前記通信装置へ送信する、
ことを特徴とする請求項２に記載の基地局装置。
【請求項４】
前記通知手段は、前記第１の設定情報と前記第２の設定情報とを含むメッセージを所定回数送信したが前記完了通知を受信しなかった場合、前記通信装置が前記第１の設定情報と前記第２の設定情報に基づく設定を完了することができなかったことを示す情報を前記他の基地局装置へ通知する、
ことを特徴とする請求項３に記載の基地局装置。
【請求項５】
前記通知手段は、さらに、前記通信装置が前記２つの設定を同時に実行可能でない場合、前記第１の設定情報に基づく無線通信の設定が可能でないことを示す情報を、前記他の基地局装置に通知する、
ことを特徴とする請求項２から４のいずれか１項に記載の基地局装置。
【請求項６】
前記通知手段は、さらに、前記通信装置が前記２つの設定を同時に実行可能でない場合、前記第１の設定情報に基づく無線通信の設定が可能でない理由を示す情報を、前記他の基地局装置に通知する、
ことを特徴とする請求項５に記載の基地局装置。
【請求項７】
前記通知手段は、さらに、前記通信装置が前記２つの設定を同時に実行可能である場合、前記第１の設定情報に基づく無線通信の設定が可能であることを示す情報を、前記他の基地局装置に通知する、
ことを特徴とする請求項２から６のいずれか１項に記載の基地局装置。
【請求項８】
前記第１の設定情報および前記第２の設定情報は、それぞれ、無線通信で用いられるキャリアの数の情報を含み、
前記判定手段は、前記第１の設定情報が示すキャリアの数と、前記第２の設定情報が示すキャリアの数との総数が、前記通信装置が使用できるキャリアの数以下である場合に、前記通信装置が前記２つの設定を同時に実行可能であると判定する、
ことを特徴とする請求項１から７のいずれか１項に記載の基地局装置。
【請求項９】
前記第１の設定情報および前記第２の設定情報は、それぞれ、実行されるべきフィードバックプロセスの数の情報を含み、
前記判定手段は、前記第１の設定情報が示す実行されるべきフィードバックプロセスの数と、前記第２の設定情報が示す実行されるべきフィードバックプロセスの数との総数が、前記通信装置が設定できるフィードバックプロセスの数以下である場合に、前記通信装置が前記２つの設定を同時に実行可能であると判定する、
ことを特徴とする請求項１から８のいずれか１項に記載の基地局装置。
【請求項１０】
基地局装置および他の基地局装置が１つの通信装置との間で通信を行う無線通信システムにおける、前記基地局装置であって、
前記通信装置と通信を行う通信手段と、
前記他の基地局装置が通信装置との間の無線通信に用いている又は用いることを要求する第２の設定情報と共に、前記他の基地局装置から前記通信装置へ送信させるために、前記基地局装置が前記通信装置との間の無線通信に用いることを要求する第１の設定情報を、前記他の基地局装置へ通知する通知手段と、
を有し、
前記通信手段は、前記第１の設定情報を通知した後に、前記第１の設定情報を用いた前記通信装置との間の通信を開始する、
ことを特徴とする基地局装置。
【請求項１１】
前記第１の設定情報に基づく設定と前記第２の設定情報に基づく設定とを前記通信装置が完了したことを示す情報を、前記他の基地局装置から取得する取得手段をさらに有し、
前記通信装置は、前記通信装置が前記設定を完了したことを示す情報を取得した後に、前記第１の設定情報を用いた前記通信装置との通信を開始する、
ことを特徴とする請求項１０に記載の基地局装置。
【請求項１２】
前記第１の設定情報に基づく無線通信の設定が可能でない場合に、前記第１の設定情報を、第３の設定情報に再構成する再構成手段をさらに有し、
前記取得手段は、さらに、通信装置が前記第１の設定情報と前記第２の設定情報とに基づく無線通信の設定が可能でない場合に、前記第１の設定情報に基づく無線通信の設定が可能でないことを示す情報を前記他の基地局装置から取得し、
前記再構成手段は、前記第１の設定情報に基づく無線通信の設定が可能でないことを示す情報を受信したことに応じて、前記第１の設定情報を前記第３の設定情報に再構成し、
前記通知手段は、前記第３の設定情報を前記他の基地局装置へ通知する、
ことを特徴とする請求項１１に記載の基地局装置。
【請求項１３】
前記取得手段は、さらに、通信装置が前記第１の設定情報と前記第２の設定情報とに基づく無線通信の設定が可能でない場合に、前記第１の設定情報に基づく無線通信の設定が可能でない理由を示す情報を前記他の基地局装置から受信し、
前記再構成手段は、前記理由を示す情報を受信したことに応じて、当該理由に基づいて前記第１の設定情報を前記第３の設定情報に再構成する、
ことを特徴とする請求項１２に記載の基地局装置。
【請求項１４】
第１の基地局装置および第２の基地局装置との間で通信を行う通信装置であって、
前記第１の基地局装置および前記第２の基地局装置との間で通信を行う通信手段と、
前記第１の基地局装置との間の通信の設定および前記第２の基地局装置との間の通信の設定を実行する実行手段と、
を有し、
前記通信手段は、前記第１の基地局装置との間の無線通信に用いる第１の設定情報および前記第２の基地局装置の間の無線通信に用いる第２の設定情報を含む情報を、前記第１の基地局装置から受信し、
前記実行手段は、前記第１の基地局装置との間の前記第１の設定情報に基づく無線通信、および、前記第２の基地局装置との間の前記第２の設定情報に基づく無線通信の設定を実行し、
前記通信手段は、前記設定を実行した後に、前記第１の設定情報を用いて前記第１の基地局装置との間の通信を開始すると共に前記第２の設定情報を用いて前記第２の基地局装置との間の通信を開始する、
ことを特徴とする通信装置。
【請求項１５】
前記設定が完了した場合に、前記設定が完了したことを示す完了通知を、前記第１の基地局装置へ送信する送信手段をさらに有し、
前記完了通知に基づいて、前記第１の基地局装置から前記第２の基地局装置へ前記設定が完了したことが通知される、
ことを特徴とする請求項１４に記載の通信装置。
【請求項１６】
基地局装置および他の基地局装置が１つの通信装置との間で通信を行う無線通信システムにおける、前記通信装置と通信を行う通信手段を有する前記基地局装置の制御方法であって、
取得手段が、前記他の基地局装置から、当該他の基地局装置が前記通信装置との間の無線通信に用いることを要求する第１の設定情報を取得する取得工程と、
判定手段が、前記第１の設定情報と、前記基地局装置が前記通信装置との間の無線通信に用いている又は用いることを要求する第２の設定情報とに基づいて、前記通信装置が、前記第１の設定情報に基づく無線通信の設定と前記第２の設定情報に基づく無線通信の設定との２つの設定を同時に実行可能であるかを判定する判定工程と、
前記通信手段が、前記通信装置が前記２つの設定を同時に実行可能である場合、前記第１の設定情報と前記第２の設定情報とを含むメッセージを前記通信装置へ送信する工程と、
前記通信手段が、前記メッセージを前記通信装置へ送信した後に前記第２の設定情報を用いて前記通信装置との通信を開始する工程と、
を有することを特徴とする制御方法。
【請求項１７】
基地局装置および他の基地局装置が１つの通信装置との間で通信を行う無線通信システムにおける、前記通信装置と通信を行う通信手段を有する前記基地局装置の制御方法であって、
通知手段が、前記他の基地局装置が通信装置との間の無線通信に用いている又は用いることを要求する第２の設定情報と共に前記他の基地局装置から前記通信装置へ送信させるために、前記基地局装置が前記通信装置との間の無線通信に用いることを要求する第１の設定情報を、前記他の基地局装置へ通知する通知工程と、
前記通信手段が、前記第１の設定情報を通知した後に、前記第１の設定情報を用いた前記通信装置との間の通信を開始する工程と、
を有することを特徴とする制御方法。
【請求項１８】
第１の基地局装置および第２の基地局装置との間で通信を行う通信手段と前記第１の基地局装置との間の通信の設定および前記第２の基地局装置との間の通信の設定を実行する実行手段とを有する通信装置の制御方法であって、
前記通信手段が、前記第１の基地局装置との間の無線通信に用いる第１の設定情報および前記第２の基地局装置の間の無線通信に用いる第２の設定情報を含む情報を、前記第１の基地局装置から受信する工程と、
前記実行手段が、前記第１の基地局装置との間の前記第１の設定情報に基づく無線通信、および、前記第２の基地局装置との間の前記第２の設定情報に基づく無線通信の設定を実行する工程と、
前記通信手段が、前記設定を実行した後に、前記第１の設定情報を用いて前記第１の基地局装置との間の通信を開始すると共に前記第２の設定情報を用いて前記第２の基地局装置との間の通信を開始する工程と、
を有することを特徴とする制御方法。
【請求項１９】
基地局装置および他の基地局装置が１つの通信装置との間で通信を行う無線通信システムにおける、前記通信装置と通信を行う通信手段を有する前記基地局装置に備えられたコンピュータに、
前記他の基地局装置から、当該他の基地局装置が前記通信装置との間の無線通信に用いることを要求する第１の設定情報を取得する取得工程と、
前記第１の設定情報と、前記基地局装置が前記通信装置との間の無線通信に用いている又は用いることを要求する第２の設定情報とに基づいて、前記通信装置が、前記第１の設定情報に基づく無線通信の設定と前記第２の設定情報に基づく無線通信の設定との２つの設定を同時に実行可能であるかを判定する判定工程と、
前記通信装置が前記２つの設定を同時に実行可能である場合、前記第１の設定情報と前記第２の設定情報とを含むメッセージを前記通信装置へ送信するように前記通信手段を制御する工程と、
前記メッセージを前記通信装置へ送信した後に前記第２の設定情報を用いて前記通信装置との通信を開始するように前記通信手段を制御する工程と、
を実行させるためのプログラム。
【請求項２０】
基地局装置および他の基地局装置が１つの通信装置との間で通信を行う無線通信システムにおける、前記通信装置と通信を行う通信手段を有する前記基地局装置に備えられたコンピュータに、
前記他の基地局装置が通信装置との間の無線通信に用いている又は用いることを要求する第２の設定情報と共に前記他の基地局装置から前記通信装置へ送信させるために、前記基地局装置が前記通信装置との間の無線通信に用いることを要求する第１の設定情報を、前記他の基地局装置へ通知する通知工程と、
前記第１の設定情報を通知した後に、前記第１の設定情報を用いた前記通信装置との間の通信を開始するように前記通信手段を制御する工程と、
を実行させるためのプログラム。
【請求項２１】
第１の基地局装置および第２の基地局装置との間で通信を行う通信手段と前記第１の基地局装置との間の通信の設定および前記第２の基地局装置との間の通信の設定を実行する実行手段とを有する通信装置に備えられたコンピュータに、
前記第１の基地局装置との間の無線通信に用いる第１の設定情報および前記第２の基地局装置の間の無線通信に用いる第２の設定情報を含む情報を、前記第１の基地局装置から受信するように前記通信手段を制御する工程と、
前記第１の基地局装置との間の前記第１の設定情報に基づく無線通信、および、前記第２の基地局装置との間の前記第２の設定情報に基づく無線通信の設定を実行するように前記実行手段を制御する工程と、
前記設定を実行した後に、前記第１の設定情報を用いて前記第１の基地局装置との間の通信を開始すると共に前記第２の設定情報を用いて前記第２の基地局装置との間の通信を開始するように前記通信手段を制御する工程と、
を実行させるためのプログラム。
【発明の詳細な説明】
【技術分野】
【０００１】
本発明は無線通信システムにおける通信の設定技術に関する。
【背景技術】
【０００２】
第３世代パートナーシッププロジェクト（３ＧＰＰ）において、大セル（マクロセル）のカバレッジ内に異なる周波数帯域（例えば、マクロセルで使用されるよりも高い周波数帯域）を使用する小セル（スモールセル）を多数設置することが議論されている。例えば、図１の例のように、２ＧＨｚ帯の周波数帯域を使用するマクロセルのカバレッジエリア内に、３．５ＧＨｚ帯の周波数帯域を使用するスモールセルが複数置局される。
【０００３】
ＬＴＥ  Ｒｅｌｅａｓｅ  １２では、このような環境において２つのタイプの基地局がＭＡＣ（媒体アクセス制御）レイヤより上位のレイヤにおいて連携するＤｕａｌ  Ｃｏｎｎｅｃｔｉｖｉｔｙという技術について議論が開始されている。ここで、２つのタイプの基地局とは、マスタｅＮＢ（例えばマクロ基地局）とスレーブｅＮＢ（例えばスモールセルの基地局）であり、マスタｅＮＢが通信制御を主導し、スレーブｅＮＢは、その通信制御に基づいて動作する。Ｄｕａｌ  Ｃｏｎｎｅｃｔｉｖｉｔｙでは、２つのタイプの基地局間が有線又は無線のバックホール回線で接続され、例えば、端末へ送信されるトラフィックはマスタｅＮＢを経由してスレーブｅＮＢへ受け渡される。受け渡された信号は、その後、スレーブｅＮＢから端末へ無線信号として送信される。また、端末からスレーブｅＮＢへ送信された信号は、スレーブｅＮＢからマスタｅＮＢへ転送される。すなわち、全て又は大部分のトラフィックが、マスタｅＮＢを一度通過することとなる。
【０００４】
ここで、バックホール回線は、例えば１Ｇｂｐｓなどの大容量が求められる一方で、その遅延に対する要求は、１０ｍｓｅｃ以上など比較的厳しくない。したがって、図２に示すように、Ｄｕａｌ  Ｃｏｎｎｅｃｔｉｖｉｔｙでは、モビリティ維持などの制御データ（Ｃ−ｐｌａｎｅ）や、音声通話トラフィックなどリアルタイム性の高いデータはマスタｅＮＢから端末へ送信される。一方で、Ｗｅｂ閲覧などのリアルタイム性が要求されないベストエフォート型のユーザデータ（Ｕ−ｐｌａｎｅ）は、スレーブｅＮＢから端末へ送信される。これにより、スレーブｅＮＢへの接続に伴うハンドオーバを行うことなく、スレーブｅＮＢへのデータオフローディングを行うことが可能となる。
【先行技術文献】
【非特許文献】
【０００５】
【非特許文献１】Ｓａｍｓｕｎｇ、Ｒ１−１３１８３０、“Ｄｉｓｃｕｓｓｉｏｎ  ｏｎ  ｄｕａｌ  ＲＲＣ”、３ＧＰＰ  ＴＳＧ  ＲＡＮ  ＷＧ２＃８２、２０１３年５月
【発明の概要】
【発明が解決しようとする課題】
【０００６】
Ｄｕａｌ  Ｃｏｎｎｅｃｔｉｖｉｔｙでは、マスタｅＮＢとスレーブｅＮＢとの間はＸ２インタフェースで接続されるが、基本的にはそれぞれが独立して動作する。例えば、物理レイヤにおいて、ＨＡＲＱ（ハイブリッド自動再送要求）の動作時間は、１０ｍｓ以下の遅延を満たすことが要求されるため、バックホール回線の遅延が大きい場合などでは、その動作の独立性が要求される。
【０００７】
一方、ＬＴＥにおいては多数の物理レイヤのパラメータが定義されており、ＲＲＣ（Ｒａｄｉｏ  Ｒｅｓｏｕｒｃｅ  Ｃｏｎｔｒｏｌ）シグナリングを用いてその設定が実行される。このとき、マスタｅＮＢ及びスレーブｅＮＢが、それぞれ独立してこれらのパラメータを設定すると、端末において、その両者に対応することができない場合があった。
【０００８】
本発明は上記課題に鑑みてなされたものであり、複数の基地局と１つの端末とが通信を行う場合に、端末の能力に応じた通信の設定を可能とすることを目的とする。
【課題を解決するための手段】
【０００９】
上記目的を達成するため、本発明による基地局装置は、基地局装置および他の基地局装置が１つの通信装置との間で通信を行う無線通信システムにおける、前記基地局装置であって、前記通信装置と通信を行う通信手段と、前記他の基地局装置から、当該他の基地局装置が前記通信装置との間の無線通信に用いることを要求する第１の設定情報を取得する取得手段と、前記第１の設定情報と、前記基地局装置が前記通信装置との間の無線通信に用いている又は用いることを要求する第２の設定情報とに基づいて、前記通信装置が、前記第１の設定情報に基づく無線通信の設定と前記第２の設定情報に基づく無線通信の設定との２つの設定を同時に実行可能であるかを判定する判定手段と、を有し、前記通信手段は、前記通信装置が前記２つの設定を同時に実行可能である場合、前記第１の設定情報と前記第２の設定情報とを含むメッセージを前記通信装置へ送信し、その後に前記第２の設定情報を用いて前記通信装置との通信を開始する、ことを特徴とする。
【００１０】
上記目的を達成するため、本発明による別の基地局装置は、基地局装置および他の基地局装置が１つの通信装置との間で通信を行う無線通信システムにおける、前記基地局装置であって、前記通信装置と通信を行う通信手段と、前記他の基地局装置が通信装置との間の無線通信に用いている又は用いることを要求する第２の設定情報と共に、前記他の基地局装置から前記通信装置へ送信させるために、前記基地局装置が前記通信装置との間の無線通信に用いることを要求する第１の設定情報を、前記他の基地局装置へ通知する通知手段と、を有し、前記通信手段は、前記第１の設定情報を通知した後に、前記第１の設定情報を用いた前記通信装置との間の通信を開始する、ことを特徴とする。
【００１１】
また、上記目的を達成するため、本発明による通信装置は、第１の基地局装置および第２の基地局装置との間で通信を行う通信装置であって、前記第１の基地局装置および前記第２の基地局装置との間で通信を行う通信手段と、前記第１の基地局装置との間の通信の設定および前記第２の基地局装置との間の通信の設定を実行する実行手段と、を有し、前記通信手段は、前記第１の基地局装置との間の無線通信に用いる第１の設定情報および前記第２の基地局装置の間の無線通信に用いる第２の設定情報を含む情報を、前記第１の基地局装置から受信し、前記実行手段は、前記第１の基地局装置との間の前記第１の設定情報に基づく無線通信、および、前記第２の基地局装置との間の前記第２の設定情報に基づく無線通信の設定を実行し、前記通信手段は、前記設定を実行した後に、前記第１の設定情報を用いて前記第１の基地局装置との間の通信を開始すると共に前記第２の設定情報を用いて前記第２の基地局装置との間の通信を開始する、ことを特徴とする。
【発明の効果】
【００１２】
本発明によれば、複数の基地局と１つの端末とが通信を行う場合の端末の能力に応じた設定を行うことが可能となる。
【図面の簡単な説明】
【００１３】
【図１】それぞれ異なる周波数帯域を使用するマクロセルとスモールセルとの配置例を示す概念図。
【図２】Ｄｕａｌ  Ｃｏｎｎｅｃｔｉｖｉｔｙによる端末と複数のｅＮＢとの間の通信の例を示す概念図。
【図３】マスタｅＮＢ、スレーブｅＮＢ及び端末のハードウェア構成例を示す図。
【図４】マスタｅＮＢの機能構成例を示すブロック図。
【図５】スレーブｅＮＢの機能構成例を示すブロック図。
【図６】端末の機能構成例を示すブロック図。
【図７】無線通信システムで実行される処理の流れの一例を示すシーケンス図。
【発明を実施するための形態】
【００１４】
以下、添付図面を参照して本発明の実施の形態を詳細に説明する。
【００１５】
（システム構成）
本実施形態に係る無線通信システムは、例えば、図２に示すように、マスタｅＮＢ、スレーブｅＮＢ及び端末（ＵＥ）を含む。なお、ここでは、ｅＮＢは基地局装置であるが、対応する無線通信システムは、ＬＴＥ以外のものであってもよい。また、端末は、移動体又は固定された無線通信装置であり、ＬＴＥ以外の無線通信システムに対応してもよい。なお、本実施形態の無線通信システムでは、マスタｅＮＢは第１の周波数帯域（例えば２ＧＨｚ）を用いて通信を行い、スレーブｅＮＢは第２の周波数帯域（３．５ＧＨｚ）を用いて通信を行う。
【００１６】
マスタｅＮＢとスレーブｅＮＢとは、互いに有線又は無線の通信回線（バックホール回線）によって接続される。そして、下り信号は、マスタｅＮＢから直接無線信号として端末に送信されることにより、又はマスタｅＮＢからスレーブｅＮＢへ転送された後にスレーブｅＮＢから端末に無線信号として伝送されることにより、端末に到達する。また、上り信号は、端末がマスタｅＮＢへ直接送信することにより、又は、端末からスレーブｅＮＢへ送信された信号をスレーブｅＮＢがマスタｅＮＢへ転送することにより、マスタｅＮＢへ到達する。なお、端末と、スレーブｅＮＢに直接接続される他の装置との間の通信については、マスタｅＮＢを経由しない場合もある。
【００１７】
このとき、マスタｅＮＢとスレーブｅＮＢとがそれぞれ独立して無線通信の設定を実行する場合を考える。この場合、マスタｅＮＢ及びスレーブｅＮＢは、互いに他のｅＮＢが実行する無線通信の設定を考慮せずに、例えば独立してＲＲＣメッセージを端末に送信することによって、無線通信の設定を試みる。この場合、マスタｅＮＢ及びスレーブｅＮＢがそれぞれ要求する２つの設定を、端末が共に実行することができない場合がある。
【００１８】
例えば、キャリアアグリゲーション（ＣＡ：Ｃａｒｒｉｅｒ  Ａｇｇｒｅｇａｔｉｏｎ）におけるコンポーネントキャリア（ＣＣ：Ｃｏｍｐｏｎｅｎｔ  Ｃａｒｒｉｅｒ）の数は、端末ごとに設定可能な最大数が決まっている。ここで、マスタｅＮＢ及びスレーブｅＮＢが独自にこのＣＣを設定する場合、設定されたＣＣの総数が、端末における設定可能な最大数を超えてしまう場合がある。この場合、マスタｅＮＢとスレーブｅＮＢとが設定したＣＣの総数がこの最大数を超える場合、端末は、この設定に対応することができない。
【００１９】
例えば、端末は最大３つのＣＣを利用可能であるとし、マスタｅＮＢが２つのＣＣを設定して端末と信号の送信または受信を行っているとする。ここで、スレーブｅＮＢが、１つのＣＣの設定を要求する場合、端末は、このＣＣを設定してもＣＣの総数は３であり、利用可能なＣＣの数以下であるから、マスタｅＮＢとの通信設定とスレーブｅＮＢとの通信設定との２つの設定を共に実行可能である。一方、スレーブｅＮＢが２つのＣＣの設定を要求すると、この場合は、スレーブｅＮＢの要求通りにＣＣが設定されると、ＣＣの総数は４であり、端末が利用できるＣＣの最大数を超えることとなる。したがって、この場合は、端末は、マスタｅＮＢとの無線通信の設定およびスレーブｅＮＢとの無線通信の設定の２つの設定を実行することができない。
【００２０】
また、例えば、ＣｏＭＰ（Ｃｏｏｐｅｒａｔｉｖｅ  Ｍｕｌｔｉ−Ｐｏｉｎｔ）技術とＣＡとが併用される場合における、チャネル情報のフィードバックプロセスの数（ＣＳＩ−ｐｒｏｃｅｓｓ）についても同様の事象が生じうる。例えば、ＬＴＥ−Ａｄｖａｎｃｅｄでは、全ＣＣに対して端末が設定できるＣＳＩ−Ｐｒｏｃｅｓｓの総数は４と規定されている。この場合に、マスタｅＮＢ及びスレーブｅＮＢが、それぞれ３個及び２個のＣＳＩ−ｐｒｏｃｅｓｓの設定を要求しても、端末はこれを設定することができない。
【００２１】
本実施形態では、このような設定が実行できない事態を防ぐため、マスタｅＮＢが、マスタｅＮＢ自身と端末との間の無線通信の設定と共に、スレーブｅＮＢと端末との間の無線通信の設定をも主導する。具体的には、本実施形態では、まず、スレーブｅＮＢは、端末との間の無線通信に用いることを要求する設定情報（第１の設定情報）を、端末に送信するのではなく、マスタｅＮＢへ送信する（図２の（１））。マスタｅＮＢは、自らが端末との間の無線通信に用いている又は用いることを要求する設定情報（第２の設定情報）と、取得した第１の設定情報とに基づいて、端末が、これらの２つの設定情報に基づく２つの無線通信の設定を実行可能であるかを判定する。その後、マスタｅＮＢは、端末が２つの無線通信の設定を実行可能であると判定した場合、スレーブｅＮＢのための第１の設定情報と、マスタｅＮＢ自身のための第２の設定情報とを含むＲＲＣメッセージを端末へ送信する（図２の（２））。
【００２２】
端末は、第１の設定情報と第２の設定情報とを含むＲＲＣメッセージを受信すると、そのメッセージに基づいて、無線通信のための設定を実行する。すなわち、端末は、第１の設定情報を用いてスレーブｅＮＢとの無線通信の設定を実行し、第２の設定情報を用いてマスタｅＮＢとの無線通信の設定を実行する。そして、端末は、設定が完了した場合、設定完了通知をマスタｅＮＢへ送信する（図２の（３））。マスタｅＮＢは、端末から設定完了通知を受信すると、端末における設定が完了したことをスレーブｅＮＢに通知する（図２の（４））。
【００２３】
本実施形態では、このように、スレーブｅＮＢの無線通信設定に関する第１の設定情報が、マスタｅＮＢを介して端末へ通知される。したがって、マスタｅＮＢにおいて、マスタｅＮＢの無線通信設定に関する第２の設定情報に基づく設定と第１の設定情報に基づく設定との２つの設定を端末が共に実行可能かを判定することが可能となる。そして、マスタｅＮＢは、端末が２つの設定を共に実行可能な場合に、第１の設定情報と第２の設定情報とをＲＲＣメッセージに含めて端末へ送信する。このため、用いることができない設定情報を端末が受信することがなくなるか、または、そのような設定情報を端末が受信する頻度が低くなる。したがって、端末が、自らの能力を超える設定を要求されることをなくすことができ、又はそのような状態となる頻度を少なく抑えることが可能となる。
【００２４】
なお、本実施形態では、端末は、マスタｅＮＢから受信したＲＲＣメッセージに従って、マスタｅＮＢとの通信設定のみならず、スレーブｅＮＢとの通信設定をも実行する。この設定により、マスタｅＮＢと端末との間で第２の設定情報を用いた無線通信が可能となり、一方で、スレーブｅＮＢと端末との間で第１の設定情報を用いた無線通信が可能となる。マスタｅＮＢは、端末から設定完了通知を受信することによって、端末との間で第２の設定情報を用いた無線通信が可能となったことを知ることができる。また、スレーブｅＮＢは、マスタｅＮＢから、端末における設定が完了したことの通知を受信することで、端末との第１の設定情報を用いた無線通信が可能となったことを知ることができる。したがって、このような処理によって、端末とマスタｅＮＢとの間の通信、及び端末とスレーブｅＮＢとの間の通信の双方を実行することが可能となる。
【００２５】
以下、ｅＮＢと端末との構成及び動作について、詳細に説明する。
【００２６】
（ｅＮＢ及び端末のハードウェア構成）
図３は、マスタｅＮＢ並びにスレーブｅＮＢ（基地局装置）、及び端末（移動体／固定通信装置）のハードウェア構成例を示す図である。マスタｅＮＢ、スレーブｅＮＢ、及び端末は、一例において、図３に示すような、同様のハードウェア構成を有し、例えば、ＣＰＵ３０１、ＲＯＭ３０２、ＲＡＭ３０３、外部記憶装置３０４、及び通信装置３０５を有する。マスタｅＮＢ、スレーブｅＮＢ、及び端末では、例えばＲＯＭ３０２、ＲＡＭ３０３及び外部記憶装置３０４のいずれかに記録された、以下に示すマスタｅＮＢ、スレーブｅＮＢ、及び端末の各機能を実現するプログラムがＣＰＵ３０１により実行される。そして、マスタｅＮＢ、スレーブｅＮＢ、及び端末は、通信装置３０５を用いて、マスタｅＮＢ若しくはスレーブｅＮＢと端末との間の通信、又はマスタｅＮＢとスレーブｅＮＢとの間のｅＮＢ間通信を行う。なお、図３では、マスタｅＮＢ、スレーブｅＮＢ、及び端末は、１つの通信装置３０５を有するとしているが、例えば、ｅＮＢは、ｅＮＢ間の通信用の通信装置及び端末との間の通信装置を有してもよい。また、端末は、例えば、ＭＡＣレイヤより上位のレイヤで連携する、複数の周波数帯域のそれぞれに対応する複数の通信装置を有していてもよい。
【００２７】
なお、マスタｅＮＢ、スレーブｅＮＢ、及び端末は、以下に説明する各機能を実行する専用のハードウェアを備えてもよいし、一部をハードウェアで実行し、プログラムを動作させるコンピュータでその他の部分を実行してもよい。また、以下の全機能をコンピュータとプログラムにより実行させてもよい。
【００２８】
（マスタｅＮＢの機能構成）
図４は、マスタｅＮＢの機能構成例を示すブロック図である。マスタｅＮＢは、例えば、有線通信部４０１、設定情報取得部４０２、設定可否判定部４０３、メッセージ生成部４０４、無線通信部４０５及び設定完了判定部４０６を有する。
【００２９】
有線通信部４０１は、例えば、Ｘ２インタフェースを介して、スレーブｅＮＢとの間で有線通信を行う機能部である。
【００３０】
設定情報取得部４０２は、有線通信部４０１を介して、スレーブｅＮＢから、スレーブｅＮＢが端末との間の無線通信に用いることを要求する第１の設定情報を取得する。また、設定情報取得部４０２は、例えば、マスタｅＮＢ自身と端末との間の無線通信に用いている又は用いることを要求する第２の設定情報を、決定して、又は不図示の記憶部から読み出して取得してもよい。ここで、第１の設定情報および第２の設定情報は、例えば、それぞれ、キャリアアグリゲーションにおいて用いられるコンポーネントキャリア（ＣＣ）の数の情報を含む。また、第１の設定情報および第２の設定情報は、それぞれ、例えば、実行されるべきチャネル情報のフィードバックプロセスの数（ＣＳＩ−ｐｒｏｃｅｓｓ）の情報を含んでもよい。
【００３１】
設定可否判定部４０３は、設定情報取得部４０２が取得した第１の設定情報および第２の設定情報に基づいて、端末が、第１の設定情報に基づく無線通信の設定と、第２の設定情報に基づく無線通信の設定との２つの設定を同時に実行可能であるかを判定する。なお、ここでの「２つの設定を同時に実行可能」とは、第１の設定情報と第２の設定情報とを両立させて設定することができることを示し、必ずしも同一のタイミングで設定処理が実行可能であることを必要としない。なお、設定可否判定部４０３は、端末の能力又は制限に係る情報、すなわち、設定が実行可能となる条件に関する情報を、事前に不図示の記憶装置に登録しておき、それを読み込むことにより、又は端末から情報収集して、知っているものとする。
【００３２】
設定可否判定部４０３は、例えば、第１の設定情報および第２の設定情報が、それぞれキャリアアグリゲーション（ＣＡ）において用いられるＣＣの数の情報を含む場合、これらのＣＣの総数が、端末が使用できるＣＣの最大数以下であるかを判定する。この場合、設定可否判定部４０３は、設定情報に含まれるＣＣの総数が、端末が使用可能なＣＣの数以下である場合に、２つの設定を同時に実行可能であると判定する。
【００３３】
例えば、第１の設定情報及び第２の設定情報が、共にＣＣの数の情報として「２」を含んでいる場合、設定情報に基づくＣＣの総数は「４」となる。ここで、端末が使用可能なＣＣの数が３である場合は、設定情報に基づくＣＣの総数が、端末が使用可能なＣＣの数を超えるため、端末は、これらの２つの設定情報に基づく２つの設定を同時に実行することはできない。したがって、この場合は、設定可否判定部４０３は、２つの設定を同時に実行可能でないと判定する。一方、例えば、第１の設定情報がＣＣの数の情報として「２」を含み、第２の設定情報がＣＣの数の情報として「１」を含んでいる場合は、設定情報に基づくＣＣの総数は３となり、端末が使用可能なＣＣの数以下となる。したがって、この場合は、設定可否判定部４０３は、２つの設定を同時に実行可能であると判定する。
【００３４】
また、設定可否判定部４０３は、例えば、第１の設定情報および第２の設定情報が、それぞれフィードバックプロセスの数の情報を含む場合、これらのプロセスの数の総数が、端末が設定できるプロセスの上限の数以下であるかを判定してもよい。この場合、設定可否判定部４０３は、設定情報に含まれるフィードバックプロセスの数の総数が、端末が設定することができるフィードバックプロセスの上限の数以下であるかを判定する。
【００３５】
例えば、第１の設定情報がフィードバックプロセスの数の情報として「３」を含み、第２の設定情報がフィードバックプロセスの数の情報として「２」を含んでいる場合、設定情報に基づくフィードバックプロセスの総数は「５」となる。ここで、端末が設定可能なフィードバックプロセスの数が４である場合は、設定情報に基づくフィードバックプロセスの総数が、端末が設定可能なフィードバックプロセスの数を超えてしまう。このため、端末は、これらの２つの設定情報に基づく２つの設定を同時に実行することはできない。したがって、この場合は、設定可否判定部４０３は、２つの設定を同時に実行可能でないと判定する。一方、例えば、第１の設定情報および第２の設定情報が、共に、フィードバックプロセスの数の情報として「２」を含んでいる場合は、設定情報に基づくフィードバックプロセスの総数は４となり、端末が設定可能なフィードバックプロセスの数以下となる。したがって、この場合は、設定可否判定部４０３は、２つの設定を同時に実行可能であると判定する。
【００３６】
なお、設定可否判定部４０３は、複数の条件のそれぞれが全て満たされる場合に、２つの設定を同時に実行可能であると判定することができる。例えば、設定情報に基づくＣＣの数が、端末が使用できるＣＣの数以下であっても、設定情報に基づくフィードバックプロセスの数が、端末が設定可能なフィードバックプロセスの数以下でなければ、端末が、２つの設定を同時に実行することはできない。したがって、複数の条件が存在する場合、複数の条件の全てが満たされた場合に限り、設定可否判定部４０３は、２つの設定を同時に実行可能であると判定する。
【００３７】
メッセージ生成部４０４は、設定可否判定部４０３の判定結果に応じて、スレーブｅＮＢ又は端末へ送信するメッセージを生成する。例えば、端末が設定情報に基づく設定を実行可能ではないと設定可否判定部４０３が判定した場合、メッセージ生成部４０４は、設定ができないことを示す情報を含むメッセージを生成する。そして、メッセージ生成部４０４は、有線通信部４０１を介してスレーブｅＮＢへそのメッセージを送信して、設定情報の再構成が要求される旨を通知する。これにより、スレーブｅＮＢは、設定情報に問題が存在し、設定情報を再構成すべきことを認識することができる。
【００３８】
なお、この場合、メッセージ生成部４０４は、設定ができない理由に関する情報をメッセージに含めて、スレーブｅＮＢへその理由を通知してもよい。ここで、設定ができない理由の情報は、例えば、設定情報に基づくＣＣの総数が、端末が使用可能なＣＣの数を超えている場合、その旨を示す情報を含んでもよいし、端末が使用可能なＣＣの上限の数と設定情報に基づくＣＣの総数との差分の情報を含んでもよい。これにより、スレーブｅＮＢは、端末との間での無線通信で用いる設定を、使用するＣＣの数を減らすように再構成すことで、端末がその設定情報に基づく設定を実行することができるようになることを期待することができる。また、設定ができない理由の情報は、設定情報に基づくフィードバックプロセスの総数が、端末が設定可能なプロセスの数を超えている場合、その旨を示す情報又は端末が設定可能なプロセスの数と設定情報に基づくプロセスの総数との差分の情報を含んでもよい。これにより、スレーブｅＮＢは、端末との間での無線通信で用いる設定を、設定されるフィードバックプロセスの数を減らすように再構成すことで、端末がその設定情報に基づく設定を実行することができるようになることを期待することができる。
【００３９】
一方、端末が設定情報に基づく設定を実行可能であると設定可否判定部４０３が判定した場合、メッセージ生成部４０４は、第１の設定情報と第２の設定情報とを含むＲＲＣ（Ｒａｄｉｏ  Ｒｅｓｏｕｒｃｅ  Ｃｏｎｔｒｏｌ）メッセージを生成する。そして、メッセージ生成部４０４は、このＲＲＣメッセージを、無線通信部４０５を介して端末へ送信する。ここで、メッセージ生成部４０４は、端末が設定情報に基づく２つの設定を同時に実行可能である旨を示すメッセージを生成して、有線通信部４０１を介して、スレーブｅＮＢへ通知してもよい。このようにすることで、スレーブｅＮＢは、設定情報には問題がないことを把握することが可能となる。
【００４０】
なお、メッセージ生成部４０４は、端末から無線通信部４０５を介して、所定時間内に設定情報に基づく設定が完了したことを示す完了通知を受信しなかった場合、端末へ向けて同一のメッセージを再送してもよい。また、メッセージ生成部４０４は、所定時間内に設定情報に基づく設定が完了したことを示す完了通知を受信しなかった場合、第１の設定情報と第２の設定情報とを含む別のメッセージを生成して端末へ向けて送信してもよい。これにより、端末がＲＲＣメッセージの受信に失敗した場合でも、第１の設定情報と第２の設定情報とを伝達できる確率を向上させることが可能となる。
【００４１】
なお、第１の設定情報と第２の設定情報とを含むメッセージを所定回数送信したにも関わらず、端末から完了通知を受信しなかった場合は、メッセージ生成部４０４は、メッセージの生成又は再送信を終了し、一連の無線通信の設定処理を完了してもよい。この場合、メッセージ生成部４０４は、設定を完了することができなかった旨を示すうメッセージを生成して、有線通信部４０１を介してスレーブｅＮＢへ送信してもよい。これにより、無線伝送路の状態が劣化したにも関わらず、繰り返しＲＲＣメッセージを送信し続けることによる無線リソースの浪費を防ぐことが可能となる。また、処理を打ち切ったことをスレーブｅＮＢへ通知することで、スレーブｅＮＢは、設定完了通知が届くのを待ち続ける必要がなくなる。なお、マスタｅＮＢ及びスレーブｅＮＢは、ＲＲＣメッセージが端末に届くことを前提に、それぞれ第２の設定情報及び第１の設定情報を用いた無線通信の設定を実行していてもよい。この場合、マスタｅＮＢ及びスレーブｅＮＢは、この打ち切りの決定により、設定を実行前の状態に戻すことが可能となる。
【００４２】
無線通信部４０５は、端末との間で無線通信を行う。無線通信部４０５は、例えば、所定の形式でＲＲＣメッセージを端末へ送信し、端末から、設定完了通知を受信する。また、無線通信部４０５は、例えば、第１の設定情報と第２の設定情報とを含むメッセージの送信後に、第２の設定情報を用いた端末との無線通信を開始する。なお、すでに第２の設定情報に基づく無線通信が実行されている場合は、その設定による無線通信を維持する。無線通信部４０５は、端末から設定完了通知を受信した後に、第２の設定情報に基づく無線通信を開始するように構成されていてもよい。
【００４３】
設定完了判定部４０６は、無線通信部４０５を介して端末から受信した信号を解析し、設定完了通知が受信されたかを判定する。設定完了判定部４０６は、設定完了通知が受信されたと判定すると、その旨をメッセージ生成部４０４に通知する。メッセージ生成部４０４は、端末が設定情報に基づく設定を完了したことを示す情報を含むメッセージを生成し、有線通信部４０１を介して、そのメッセージをスレーブｅＮＢへ送信する。これにより、スレーブｅＮＢは、端末の設定が完了し、第１の設定情報に基づく無線通信が可能となったことを認識することが可能となる。このため、スレーブｅＮＢは、例えば、マスタ設定完了通知をｅＮＢが受信したことを示すメッセージを取得したことに応じて、第１の設定情報を用いた端末との間の無線通信を開始する。
【００４４】
また、設定完了判定部４０６は、無線通信部４０５が、端末の設定の完了に応じて第２の設定情報に基づく無線通信を開始する場合は、設定完了通知が受信された場合に、その旨を無線通信部４０５に通知してもよい。これにより、マスタｅＮＢは、端末が設定を完了したことを確実にしてから、その設定に基づく通信を開始することが可能となる。なお、無線通信部４０５は、第２の設定情報を含むＲＲＣメッセージを端末へ送信した後、所定時間経過後に第２の設定情報を用いた端末との間の無線通信を開始してもよい。例えば、ＲＲＣメッセージを受信した端末は必ずそのメッセージに従った設定を行わないとならない場合は、無線通信が可能な程度に無線品質が良好な端末は、所定時間経過後には、第２の設定情報による無線通信が可能な状態となっているはずである。一方、ＲＲＣメッセージを受信できない程度の無線品質の端末は、無線通信の設定が変更されても、変更されなくても、無線通信ができない状態にあると考えられる。このため、設定完了通知を省略して、無線リソースの浪費を抑えてもよい。この場合、設定完了判定部４０６はなくてもよい。
【００４５】
（スレーブｅＮＢの機能構成）
図５は、スレーブｅＮＢの機能構成例を示すブロック図である。スレーブｅＮＢは、例えば、設定情報生成部５０１、有線通信部５０２、無線通信部５０３及び設定完了検知部５０４を有する。
【００４６】
設定情報生成部５０１は、端末との間の無線通信で使用するための第１の設定情報を生成する。そして、設定情報生成部５０１は、この第１の設定情報を、有線通信部５０２を介してマスタｅＮＢへ送信し、マスタｅＮＢが端末との間の無線通信で用いている又は用いることを要求する第２の設定情報と共に、マスタｅＮＢから端末に通知させる。なお、有線通信部５０２は、例えば、Ｘ２インタフェースを介して、マスタｅＮＢとの間で有線通信を行う機能部である。第１の設定情報は、例えば、上述のように、ＣＡで用いるＣＣの数、又は設定されるべきフィードバックプロセスの数などの情報を含む。
【００４７】
本実施形態では、スレーブｅＮＢが使用することを要求する第１の設定情報は、スレーブｅＮＢから端末へ直接的にＲＲＣメッセージを介して送信されるのではなく、一度マスタｅＮＢへ集約されて、マスタｅＮＢからのＲＲＣメッセージを介して送信される。これにより、マスタｅＮＢは、第１の設定情報を、実際に設定のためのＲＲＣシグナリングが行われる前に知ることができ、マスタｅＮＢの第２の設定情報とスレーブｅＮＢの第１の設定情報とに基づく設定を、端末が同時に実行可能であるかを判定可能となる。
【００４８】
なお、設定情報生成部５０１は、マスタｅＮＢから、第１の設定情報に基づく設定を端末が実行できない旨の情報を取得すると、設定情報を第１の設定情報と異なる第３の設定情報へと再構成する。設定情報生成部５０１は、例えば、第１の設定情報に含まれるＣＡにおけるＣＣの数を減らし、又は、実行されるべきフィードバックプロセスの数を減らすことにより、設定情報を再構成する。そして、設定情報生成部５０１は、再構成した第３の設定情報を、マスタｅＮＢへと送信する。これを、端末がマスタｅＮＢとスレーブｅＮＢとの設定情報に基づく設定を同時に実行することが可能となるまで繰り返すことで、無線通信に使用可能な設定情報を得ることが可能となる。
【００４９】
なお、設定情報生成部５０１は、マスタｅＮＢから、第１の設定情報に基づく設定を端末が実行できない理由を示す情報を取得した場合、この理由に基づいて、第１の設定情報を再構成して第３の設定情報を生成する。例えば、設定情報生成部５０１は、理由が、設定情報に基づくＣＡにおけるＣＣ数が、端末が使用可能なＣＣの数の上限を１だけ超えている、というものであった場合、第１の設定情報に含まれるＣＡにおけるＣＣの数を１だけ減らして第３の設定情報を生成する。これにより、端末は、第３の設定情報と第２の設定情報とに基づく２つの設定を同時に実行可能となる。したがって、通知された理由に基づいて設定情報を再構成することにより、端末の能力に応じて、高速に設定情報を再構成することが可能となる。
【００５０】
無線通信部５０３は、端末との間で無線通信を実行する機能部である。無線通信部５０３は、設定情報生成部５０１が、マスタｅＮＢに対して第１の設定情報を送信した後に、第１の設定情報に基づく端末との間の無線通信を開始する。なお、無線通信部５０３は、第１の設定情報をマスタｅＮＢへ通知した後、所定時間経過後に第１の設定情報を用いた端末との間の無線通信を開始してもよい。また、無線通信部５０３は、マスタｅＮＢが、端末から設定完了通知を受信したことをスレーブｅＮＢへ通知したことに応じて、第１の設定情報を用いた端末との間の無線通信を開始してもよい。
【００５１】
設定完了検知部５０４は、マスタｅＮＢが端末から設定完了通知を受信したことの通知をマスタｅＮＢから受信したかを、有線通信部５０２を経て受信される信号を監視することにより、検知する。設定完了検知部５０４は、設定完了したことを示す通知がマスタｅＮＢから受信されたことを検知すると、例えば、無線通信部５０３に対してその旨を通知し、無線通信部５０３に、第１の設定情報に基づく端末との無線通信を開始させる。なお、第１の設定情報をマスタｅＮＢへ通知した後、無線通信部５０３が、所定時間経過後に第１の設定情報を用いた端末との間の無線通信を開始する場合は、設定完了の通知は検知されなくてもよい。
【００５２】
なお、設定完了検知部５０４は、マスタｅＮＢが端末にＲＲＣメッセージを所定回数以上送信したにもかかわらず端末の設定が完了しなかった場合などに通知される、設定を打ち切ることを示すメッセージが届いたことを検知してもよい。この場合、設定完了検知部５０４は、第１の設定情報に基づく設定が打ち切られたことを無線通信部５０３に通知し、無線通信部５０３は、例えば予め設定情報生成部５０１から取得していた第１の設定情報を破棄する。なお、設定完了検知部５０４は、マスタｅＮＢが端末から設定完了通知を受信したことをスレーブｅＮＢへ通知したことに応じて第１の設定情報を用いた端末との間の無線通信を開始する場合は、設定を打ち切ることを示すメッセージを検知しなくてもよい。一方、無線通信部５０３が所定時間経過後に第１の設定情報を用いた端末との間の無線通信を開始する場合は、その所定時間内に、このメッセージが通知されることで、無線通信部５０３は不図示のタイマによる計時を停止することができる。したがって、無線通信部５０３が、所定時間経過後に、誤った設定情報で無線通信を試行することを防ぐことが可能となる。なお、この場合、上述の所定時間は、設定を打ち切る通知が届く可能性がある期間、すなわち、マスタｅＮＢが、端末に対する設定の要求を継続する期間より長く設定されてもよい。
【００５３】
また、設定完了検知部５０４は、マスタｅＮＢにおいて、端末が第１の設定情報と第２の設定情報とに基づく２つの設定を同時に実行可能でないと判定されたことを示す情報を検知してもよい。設定完了検知部５０４は、この情報を検知すると、設定情報生成部５０１に通知する。なお、上の説明では、設定情報生成部５０１がこの情報を取得するように説明したが、設定完了検知部５０４がこの情報を検知する場合は、設定情報生成部５０１は、設定完了検知部５０４を介してこの情報を取得することとなる。また、設定完了検知部５０４は、例えば、無線通信部５０３が、第１の設定情報をマスタｅＮＢへ通知してから所定時間経過後に第１の設定情報を用いた端末との間の無線通信を開始する場合、この情報を検知した旨を、無線通信部５０３へ通知してもよい。この場合、無線通信部５０３は、不図示のタイマをリセットし、上述の如く再構成された第３の設定情報がマスタｅＮＢへと通知されたことを以って、その通知の時点から所定時間経過したかを計測するようにする。これにより、無線通信部５０３が、所定時間経過後に、誤った設定情報で無線通信を試行することを防ぐことが可能となる。
【００５４】
（端末の機能構成）
図６は、端末の機能構成例を示すブロック図である。端末は、例えば、設定情報受信部６０１、無線通信設定部６０２及び無線通信部６０３を有する。
【００５５】
設定情報受信部６０１は、マスタｅＮＢから、ＲＲＣメッセージを介して、スレーブｅＮＢとの無線通信のための第１の設定情報と、マスタｅＮＢとの無線通信のための第２の設定情報とを受信する。このように、本実施形態では、端末は、マスタｅＮＢから、マスタｅＮＢのための設定情報のみならず、スレーブｅＮＢのための設定情報をも受信することとなる。すなわち、スレーブｅＮＢとの無線通信の設定のためのＲＲＣメッセージの交換は行われない。これにより、マスタｅＮＢとスレーブｅＮＢとが、独立してそれぞれの設定情報を含むＲＲＣメッセージを送信する場合に生じる、それぞれの設定情報に基づく複数の設定を同時に実行できないという問題を回避することが可能となる。設定情報がマスタｅＮＢにおいて集約されることにより、マスタｅＮＢは、端末が設定を実行可能となるようにその設定情報を調節してから通知するからである。
【００５６】
無線通信設定部６０２は、設定情報受信部６０１が受信した第１の設定情報（又は第３の設定情報）によるスレーブｅＮＢとの無線通信のための設定と、第２の設定情報によるマスタｅＮＢとの無線通信のための設定とを実行する。これにより、無線通信部６０３は、マスタｅＮＢ及びスレーブｅＮＢとの間で、それぞれの設定情報に同時に基づいて通信を行うことが可能となる。なお、無線通信部６０３は、マスタｅＮＢ及びスレーブｅＮＢの少なくともいずれかとの間で無線通信を実行する機能部である。
【００５７】
なお、無線通信設定部６０２は、受信した設定情報に基づく無線通信のための設定が完了した場合、その旨を示す設定完了通知を、例えばＲＲＣメッセージを介して、マスタｅＮＢへ送信するようにしてもよい。なお、設定完了通知が送信される場合、設定が完了したことを示す情報が、マスタｅＮＢからスレーブｅＮＢへと通知される。すなわち、設定完了通知は、端末からスレーブｅＮＢへと直接送信されずに、マスタｅＮＢを介してスレーブｅＮＢへと通知されることとなる。このようにして、設定完了通知を送信することにより、マスタｅＮＢ及びスレーブｅＮＢは、端末が設定を完了していることを知ることができる。このため、スレーブｅＮＢは、第１の設定情報（又は第３の設定情報）による端末との無線通信を実行可能であることを知ることができ、マスタｅＮＢは、第２の設定情報による端末との無線通信を実行可能であることを知ることができる。
【００５８】
（無線通信システムの動作）
続いて、無線通信システムにおける、マスタｅＮＢ、スレーブｅＮＢ及び端末の動作について説明する。図７は、本実施形態に係る無線通信システムで実行される処理の流れの一例を示すシーケンス図である。
【００５９】
まず、スレーブｅＮＢは、端末との無線通信で用いることを要求する第１の設定情報を生成する（Ｓ７０１）。同様に、マスタｅＮＢも、端末との無線通信で用いることを要求する第２の設定情報を生成する（Ｓ７０２）。なお、第２の設定情報は、マスタｅＮＢと端末が既に通信を行っている場合は、その時点で使用されている設定情報であってもよい。また、第１の設定情報及び第２の設定情報は、同時に生成される必要はない。
【００６０】
続いて、スレーブｅＮＢは、第１の設定情報に関する情報をマスタｅＮＢへと送信する（Ｓ７０３）。マスタｅＮＢは、この第１の設定情報を取得すると、端末が、第１の設定情報に基づく無線通信の設定と、第２の設定情報に基づく無線通信の設定との２つの設定を同時に実行可能であるかを判定する（Ｓ７０４）。
【００６１】
端末が２つの設定を同時に実行可能でないと判定した場合（Ｓ７０４でＮＯ）、マスタｅＮＢは、ＮＡＣＫ（否定応答）をスレーブｅＮＢへと送信する（Ｓ７０５）。なお、マスタｅＮＢは、ＮＡＣＫと併せて、設定が実行可能でなかった理由をスレーブｅＮＢへと通知してもよい。スレーブｅＮＢは、ＮＡＣＫを受信すると、Ｓ７０１へ戻り、設定情報を再構成して生成する。
【００６２】
端末が２つの設定を同時に実行可能であると判定した場合（Ｓ７０４でＹＥＳ）、マスタｅＮＢは、スレーブｅＮＢへ、ＡＣＫ（肯定応答）を送信する（Ｓ７０６）。なお、Ｓ７０５は、後述するＳ７１１の端末の設定完了の通知時に併せて通知することができるため、省略されてもよい。その後、マスタｅＮＢは、第１の設定情報と第２の設定情報とを含むＲＲＣメッセージを生成し（Ｓ７０７）、端末へそのＲＲＣメッセージを送信する（Ｓ７０８）。
【００６３】
端末は、ＲＲＣメッセージを受信すると（Ｓ７０８）、ＲＲＣメッセージに含まれる第１の設定情報と第２の設定情報とにそれぞれ基づいて、スレーブｅＮＢ及びマスタｅＮＢとの間の無線通信の設定を実行する（Ｓ７０９）。端末は、設定が完了すると、設定完了通知をマスタｅＮＢへと送信する（Ｓ７１０）。これにより、マスタｅＮＢは、第２の設定情報に基づく端末との無線通信が可能であることを知ることができる。マスタｅＮＢは、端末が設定を完了したことを示す情報をスレーブｅＮＢへ通知する（Ｓ７１１）。これにより、スレーブｅＮＢは、第１の設定情報に基づく端末との無線通信が可能であることを知ることができる。その後、マスタｅＮＢが端末との間で第２の設定情報に基づく無線通信を開始する（Ｓ７１２）と共に、スレーブｅＮＢも端末との間で第１の設定情報に基づく無線通信を開始する（Ｓ７１３）。
【００６４】
なお、上述の処理は、一例であり、上述のマスタｅＮＢ、スレーブｅＮＢ、及び端末の各機能に基づいて、異なる処理を実行することが可能である。
【００６５】
上述の実施形態では、スレーブｅＮＢが１つの場合について説明したが、これに限られない。マスタｅＮＢと複数のスレーブｅＮＢが端末との間で通信を行う場合も、上述の処理と同様に、複数のスレーブｅＮＢのそれぞれが要求する設定情報をマスタｅＮＢが集約し、端末がこれらの設定情報に基づく複数の設定を同時に実行可能であるかを判定する。そして、マスタｅＮＢは、設定ができない場合は、複数のスレーブｅＮＢへその旨を通知する。なお、このとき、既に無線通信を実行しているスレーブｅＮＢが存在する場合は、マスタｅＮＢは、そのスレーブｅＮＢがその時点で使用している設定情報を維持するように制御してもよい。例えば、マスタｅＮＢは、既に無線通信を実行しているスレーブｅＮＢへは何も通知せずに、新たに無線通信の設定を要求するスレーブｅＮＢへのみ、設定ができない旨を示す情報を通知してもよい。
【００６６】
また、上述の実施形態は、端末が１つの場合について説明したが、端末は複数存在してもよい。この場合は、各端末に対して、上述の処理をそれぞれ別個に実行するだけでよい。
【００６７】
本実施形態では、マスタｅＮＢが、マスタｅＮＢ自身が要求する又は使用している設定情報とスレーブｅＮＢが要求する設定情報とに基づいて、その設定情報の双方に端末が同時に対応できるかを判定する。そして、マスタｅＮＢは、同時に対応できない設定情報については、その設定ができない旨をスレーブｅＮＢへと通知して、スレーブｅＮＢに、設定情報の再構成を要求する。このようにすることにより、端末が、複数のｅＮＢから独立して送信されてきた複数の設定情報に同時に対応できない状況が生じることを防ぐことが可能となる。
【図１】
2015032902.tif 000003
【図２】
2015032902.tif 000004
【図３】
2015032902.tif 000005
【図４】
2015032902.tif 000006
【図５】
2015032902.tif 000007
【図６】
2015032902.tif 000008
【図７】
2015032902.tif 000009